(57)【要約】【課題】本発明は、ファンシステムが起動あるいは再起動した時に、比較的低い回転速度で起動させるファンシステムを提供することを課題とする。【解決手段】本発明に係るファンシステムは、少なくとも１個のファンと、スタート電圧及びアラーム信号を受けてファンを制御するコントロール装置とを備え、このコントロール装置は起動コントロールユニット及び駆動ユニットを備え、駆動ユニットは起動コントロールユニット及びファンに電気的にそれぞれ接続される。起動コントロールユニットがスタート電圧を受けた時、起動コントロール信号を発生させ、所定時間が経過した後に送信を停止する。スタート電圧及びアラーム信号を受けた時、起動コントロール信号を発生させ、駆動ユニットは起動コントロール信号を受けて、ファンの回転速度をコントロールする。【選択図】図３
2007185090.tif 000002
【特許請求の範囲】
【請求項１】
少なくとも１個のファンと、
スタート電圧及びアラーム信号を受けて前記ファンを制御するコントロール装置とを備え、
前記コントロール装置は、起動コントロールユニット及び駆動ユニットを有し、
前記駆動ユニットは前記起動コントロールユニット及び前記ファンに電気的にそれぞれ接続され、
前記起動コントロールユニットがスタート電圧を受けた時、前記起動コントロールユニットが起動コントロール信号を発生させ、所定の時間が経過した後、前記起動コントロール信号の送信が停止され、
前記スタート電圧及び前記アラーム信号を受けた時、前記起動コントロールユニットは前記起動コントロール信号を発生させて、前記駆動ユニットが前記起動コントロール信号によってファンの回転速度をコントロールすることを特徴とする
ファンシステム。
【請求項２】
前記起動コントロールユニットは、第一スイッチ及び第二スイッチを備え、
前記スタート電圧を受けた時、前記第一スイッチは通電し、前記第二スイッチは通電せず、
前記スタート電圧及び前記アラーム信号を受けた時、前記第一スイッチ及び前記第二スイッチが通電することを特徴とする
請求項１に記載のファンシステム。
【請求項３】
前記起動コントロールユニットは、
前記スタート電圧を受ける第一スイッチと、
その一端が前記第一スイッチに電気的に接続される第一抵抗器と、
その一端が前記第一抵抗器の他端に電気的に接続され、他端が接地される第一コンデンサーと、
その一端が前記第一スイッチに電気的に接続され、他端が前記駆動ユニットに電気的に接続される第二抵抗器と、
その一端が前記第一コンデンサーの前記端に電気的に接続され、他端が接地される第三抵抗器と、
前記アラーム信号を受け、前記第一スイッチに電気的に接続される第二スイッチとを備えることを特徴とする
請求項１に記載のファンシステム。
【請求項４】
前記第一スイッチ及び前記第二スイッチは、それぞれトランジスタであることを特徴とする
請求項３に記載のファンシステム。
【請求項５】
前記第一スイッチのソースは前記スタート電圧を受け、
前記第一スイッチのゲートは前記第一抵抗器の前記他端に電気的に接続に接続され、
前記第一スイッチのドレインは前記第二抵抗器の前記端に電気的に接続されることを特徴とする
請求項４に記載のファンシステム。
【請求項６】
前記第二スイッチのベースは前記アラーム信号を受け、
前記第二スイッチのコレクタは前記第一スイッチのゲートに電気的に接続され、
前記第二スイッチのエミッタは接地されることを特徴とする
請求項４に記載のファンシステム。
【請求項７】
前記起動コントロールユニットは第四抵抗器を備え、
その一端が前記第一コンデンサーの前記端に電気的に接続され、
他端が前記第二スイッチに電気的に接続されることを特徴とする
請求項３に記載のファンシステム。
【請求項８】
前記起動コントロールユニットは第十抵抗器を備え、
その一端が前記第一抵抗器に電気的に接続され、
他端が前記第一コンデンサーに電気的に接続されることを特徴とする
請求項３に記載のファンシステム。
【請求項９】
前記コントロール装置は回転速度コントロールユニットを備え、
前記スタート電圧を受けて、さらに、前記スタート電圧によって発生した回転速度コントロール信号及び半速コントロール信号を前記駆動ユニットに送ることを特徴とする
請求項１に記載のファンシステム。
【請求項１０】
前記回転速度コントロールユニットは、前記スタート電圧及び目標回転速度コントロール信号によって、発生した前記回転速度コントロール信号を前記駆動ユニットに送ることを特徴とする
請求項９に記載のファンシステム。
【請求項１１】
前記回転速度コントロールユニットは、
その一端が前記スタート電圧を受ける第五抵抗器と、
前記第五抵抗器の他端に電気的に接続される第三スイッチと、
その一端が前記第三スイッチに電気的に接続される第六抵抗器と、
その一端が前記第三スイッチに電気的に接続される第七抵抗器と、
その一端が前記第七抵抗器の他端に電気的に接続され、さらに前記回転速度コントロール信号を送り出す第二コンデンサーとを備えることを特徴とする
請求項９に記載のファンシステム。
【請求項１２】
前記回転速度コントロールユニットは第八抵抗器及び第九抵抗器を備え、
前記第八抵抗器の一端が前記第五抵抗器の前記端に電気的に接続され、
前記第八抵抗器の他端が前記第九抵抗器の一端に電気的に接続され、
さらに、前記半速コントロール信号を提供することを特徴とする
請求項１１に記載のファンシステム。
【請求項１３】
前記スタート電圧の値は、前記駆動ユニットの最低回転速度電圧より大きいことを特徴とする
請求項１に記載のファンシステム。
【請求項１４】
前記駆動ユニットは駆動チップで、さらに前記駆動チップが前記アラーム信号を提供することを特徴とする
請求項１に記載のファンシステム。
【発明の詳細な説明】
【技術分野】
【０００１】
本発明は、ファンシステムに関し、特に低い回転速度で起動するファンシステムに関する。
【背景技術】
【０００２】
一般的に、電子設備システムにはファンシステムが備えられており、それによって放熱を行なう。  
さらに、そのファンシステムは、コントロール装置及び少なくとも１個のファンを備え、電子設備システムは、そのコントロール装置によってファンの回転速度をコントロールすることで、電子設備システムの実際の運転状況と協働して、ファンシステムのファンの回転速度を調整する。  
例を挙げると、そのファンシステムが外部システムに利用され、その外部システムのプロセッサーの使用率が高い時、発生する熱量も高くなる。  
この時、その外部システムはコントロール装置を介してファンの回転速度を高くすることで、必要な放熱を行なう。  
逆に、プロセッサーが使用状態でない時、ファンの回転速度は低くなり、省エネ、節電の効果を発揮する。
【０００３】
図１を参照しながら説明する。  
これは、従来のファンシステムのコントロール装置１０と外部システム１が協働で作業を行なう様子を示した図である。  
コントロール装置１０は回転速度コントロールユニット１１及び駆動ユニット１２を備える。  
駆動ユニット１２は駆動チップである。回転速度コントロールユニット１１は電源端子及び信号入力端子を有する。  
この電源端子は外部の電圧源Ｖに接続されて電源となる。さらに、信号入力端子は外部システム１が目標回転速度コントロール信号１０１を受けて、その目標回転速度コントロール信号１０１によって回転速度コントロール信号１０２を発する。  
この駆動ユニット１２は、回転速度コントロール信号１０２によってファン１３の回転速度をコントロールする。
【発明の開示】
【発明が解決しようとする課題】
【０００４】
しかしながら、コントロール装置１０が起動してすぐは、回転速度コントロール信号１０２を送ることができないため、ファン１３は最高の回転速度で運転することになり、起動電流が大きくなりすぎるという状況が発生する。  
また、ファン１３の故障（例えばファン１３に異物が引っかかった場合）を解消した後、コントロール装置が再起動した時、すぐには回転速度コントロール信号１０２を送り出すことは不可能である。  
ゆえに、ファン１３は起動の遅れを取り戻すため、起動直後は最高回転速度で運転することになり、起動電流が大きくなりすぎるという状況が発生する。  
上述の２種類の状況においては、いずれも顧客のシステムにとってエネルギーの浪費であり、ファンが高速で運転することによる更なる温度の上昇を招くという問題が存在する。
【０００５】
したがって、本発明は、ファンシステムが起動あるいは再起動した時に、比較的低い回転速度で起動させるファンシステムを提供することを課題とする。
【課題を解決するための手段】
【０００６】
上述の問題を解決するために、本発明に係るファンシステムは、少なくとも１個のファンと、スタート電圧及びアラーム信号を受けて前記ファンを制御するコントロール装置とを備える。  
このコントロール装置は、起動コントロールユニット及び駆動ユニットを備える。  
駆動ユニットは起動コントロールユニット及びファンに電気的にそれぞれ接続される。  
起動コントロールユニットがスタート電圧を受けた時、起動コントロールユニットが起動コントロール信号を発生させ、所定時間が経過した後に、起動コントロール信号の送信を停止する。  
スタート電圧及びアラーム信号を受けた時、この起動コントロールユニットは起動コントロール信号を発生させ、駆動ユニットはこの起動コントロール信号を受けると同時に、この信号によって、ファンの回転速度をコントロールする。
【０００７】
本発明のファンシステムは起動コントロールユニットによって、ファンが起動あるいは再起動する際にコントロールすることで、比較的低い回転速度で起動させることを特徴とする。  
したがって、従来の技術と比較した時、本発明のファンシステムは、起動電流が大きくなりすぎるという問題を解決し、ファンの素子が損傷したり、回転速度が速すぎることで温度が上昇したりするのを回避することができる。
【発明の効果】
【０００８】
本発明のファンシステムは起動コントロールユニットによって、ファンが起動あるいは再起動する際にコントロールすることで、比較的低い回転速度で起動させることにより、起動電流が大きくなりすぎるという問題を解決し、ファンの素子が損傷したり、回転速度が速すぎることで温度が上昇したりするのを回避することができる。
【発明を実施するための最良の形態】
【０００９】
以下、図面を参照しながら、本発明のファンシステムの好適な実施例について説明する。
【００１０】
まず、図２を参照しながら本発明の好適な実施例のファンシステムについて説明する。  
本発明のファンシステムのコントロール装置２０は、外部システム２と組み合わせて使用することが可能である。  
さらに、ファンシステムは少なくとも１個のファン３を有する。  
コントロール装置２０はスタート電圧９１及びアラーム信号９２を受ける。  
このうち、スタート電圧９１は、外部の電圧源Ｖによって提供され、コントロール装置２０がスタート電圧９１を受けると直ちに作動する。  
コントロール装置２０は、起動コントロールユニット２１、駆動ユニット２２及び回転速度コントロールユニット２３を備える。
【００１１】
スタート電圧９１を受けると、起動コントロールユニット２１は起動コントロール信号９３を発生させる。  
本実施例における起動コントロール信号９３は高電位信号である。  
そして、所定の時間が経過した後、起動コントロールユニット２１は起動コントロール信号９３の送信を停止する。  
スタート電圧９１及びアラーム信号９２を受けた時、起動コントロールユニット２１は起動コントロール信号９３を発生させて駆動ユニット２２に送る。
【００１２】
駆動ユニット２２はそれぞれ起動コントロールユニット２１及びファン３に電気的に接続され、起動コントロール信号９３によって、ファン３の回転速度をコントロールする。  
本実施例において、駆動ユニット２２は信号入力端子Ｖｔｈ及び半速信号入力端子ＲＭＩを有する。  
この信号端子Ｖｔｈは起動コントロールユニット２１に電気的に接続されて、起動コントロール信号９３を受け、さらに、この起動コントロール信号９３によってファン３の回転速度をコントロールする。
【００１３】
回転速度コントロールユニット２３はスタート電圧９１を受け、さらに、このスタート電圧９１及び目標回転速度コントロール信号９４によって、回転速度コントロール信号９５及び／あるいは半速コントロール信号９６を発生させて、駆動ユニット２２に送る。  
このうち、目標回転速度コントロール信号９４は、外部システム２から提供されるパルスワイドモジュレーション（Pulse Width Modulation, ＰＷＭ）信号である。  
また、回転速度コントロールユニット２３は、半速コントロール信号９６を駆動ユニット２２の半速信号入力端子ＲＭＩに送ることで、駆動ユニット２２がこの半速コントロール信号９６によってファン３の回転速度をコントロールする（例えば、ファン３の回転速度の最低回転速度を定める半速コントロール信号９６を送る。）。
【００１４】
本実施例における駆動ユニット２２は駆動チップである。  
一般的に、起動コントロール信号９３及び回転速度コントロール信号９５の電圧の高低とファン３の回転速度は反比例する。  
つまり、起動コントロール信号９３と回転速度コントロール信号９５の電圧が低ければ低いほど、ファン３の回転速度が速くなるということである。  
逆に、起動コントロール信号９３と回転速度コントロール信号９５の電圧が高ければ高いほど、ファン３の回転速度が遅くなる。すなわち、ファン３の起動電流が小さいことを意味する。  
また、駆動チップの規格によって、信号入力端子Ｖｔｈが受ける電圧が最低回転速度電圧より大きい時、この駆動チップはファン３が最低回転速度で運転されるようにコントロールする。
【００１５】
外部システム２は、コントロール装置２０がファン３の回転速度をコントロールする際の放熱の必要性に応じて、外部システム２とコントロール装置２０が起動する時、外部システム２が先に初期化されて目標回転速度コントロール信号９４が送れない場合がある。  
この時、起動コントロールユニット２１が起動コントロール信号９３を発生させて、ファン３の回転速度をコントロールすることで、ファン３を低速回転あるいは最低回転速度で運転させることにより、ファン３の起動電流が大きくなりすぎるのを回避する。  
さらに、所定の時間が経過した時、起動コントロールユニット２１は、起動コントロール信号９３の送信を停止する。  
そして、外部システム２の初期化が完了すると、目標回転速度コントロール信号９４を発生させてファン３の回転速度をコントロールする。  
また、ファン３の回転が異常である場合、このコントロール装置２０はアラーム信号９２を受ける。  
例えば、ファン３に異物が引っかかって運転できない場合、この起動コントロールユニット２１が起動コントロール信号９３を発生させてファン３をコントロールし、比較的低い速度で運転させる。  
そして、異常が解消されて、ファン３が再起動する時、コントロール装置２０が起動コントロール信号９３を発生させてファン３の起動電流が大きくなりすぎてファン３の素子が損傷するのを回避する。
【００１６】
図３を参照しながら、本発明の好適な実施例のファンシステムのコントロール装置の回路について説明する。  
起動コントロールユニット２１は複数のスイッチＱ１，Ｑ２、複数の抵抗器Ｒ１〜Ｒ４及びコンデンサーＣ１を有する。  
このうち、本実施例におけるスイッチＱ１，Ｑ２はトランジスタあるいはその他のスイッチ機能を有する電子素子である。
【００１７】
スイッチＱ１のソースＳは電圧源Ｖに電気的に接続されて、スタート電圧９１を受ける。  
抵抗器Ｒ１の一端はスイッチＱ１のソースＳに電気的に接続され、コンデンサーＣ１の一端は抵抗器Ｒ１の他端に電気的に接続され、さらに、コンデンサーＣ１の他端は接地されている。
【００１８】
抵抗器Ｒ２の一端はスイッチＱ１のドレインＤに電気的に接続され、さらに、抵抗器Ｒ２の他端は駆動ユニット２２の信号入力端子Ｖｔｈに電気的に接続される。  
抵抗器Ｒ３の一端はコンデンサーＣ１の該端に電気的に接続され、さらに、抵抗器Ｒ３の他端は接地される。  
スイッチＱ２のベースＢはアラーム信号９２を受け、さらに、スイッチＱ２のコレクタＣはスイッチＱ１のゲートＧに電気的に接続され、スイッチＱ２のエミッタＥは接地される。  
また、本実施例において、抵抗器Ｒ４の一端はコンデンサーＣ１の該端に電気的に接続され、さらに、抵抗器Ｒ４の他端はスイッチＱ２のコレクタＣに電気的に接続されることで、スイッチＱ２のコレクタＣとスイッチＱ１のゲートＧを抵抗器Ｒ４を介して電気的に接続させる。
【００１９】
回転速度コントロールユニット２３はスイッチＱ３、複数の抵抗器Ｒ５〜Ｒ９及びコンデンサーＣ２を有する。  
このうち、本実施例におけるスイッチＱ３はトランジスタあるいはその他のスイッチ機能を有する電子素子である。
【００２０】
抵抗器Ｒ５の一端は電圧源Ｖに電気的に接続されて、スタート電圧９１を受ける。  
スイッチＱ３のコレクタＣは抵抗器Ｒ５の他端に電気的に接続され、スイッチＱ３のベースＢが目標回転速度コントロール信号９４を受け、スイッチＱ３のエミッタＥは接地される。  
抵抗器Ｒ６の一端はスイッチＱ３のベースＢに電気的に接続され、さらに、抵抗器Ｒ６の他端は抵抗器Ｒ５の該端に電気的に接続される。
【００２１】
抵抗器Ｒ７の一端はスイッチＱ３のコレクタＣに電気的に接続され、さらに、コンデンサーＣ２の一端は抵抗器Ｒ７の他端に電気的に接続される。  
コンデンサーＣ２の該端は駆動ユニット２２に電気的に接続されて、回転速度コントロール信号９５を送り出す。
【００２２】
コントロール装置２０の作動方式は以下の通りである。  
外部システム２及びコントロール装置２０が同時に起動すると、外部システム２は初期化されて、目標回転速度コントロール信号９４が送れなくなり、コントロール装置２０はアラーム信号９２を受けることができない。  
この時、スイッチＱ１のゲートＧとソースＳ間は、スタート電圧９１の入力を受けることにより、スイッチＱ１を通電させる。  
さらに、同時にスイッチＱ２、Ｑ３は通電しないため、起動コントロール信号９３が駆動ユニット２２に送られる。  
この時、起動コントロール信号９３の電圧値は、ほぼスタート電圧９１の電圧値であり、仮にスタート電圧９１の電圧値が最低回転速度電圧であるとすれば、ファン３は最低回転速度で運転されることになる。
【００２３】
また、コントロール装置２０が起動する時、コンデンサーＣ１の充電が開始され、所定の時間が経過して、コンデンサーＣ１と電圧源Ｖの電圧差が特定の電圧差に達した時、スイッチＱ１が通電しないことで、起動コントロール信号９３の送信が停止される。  
このうち、所定の時間がコンデンサーＣ１の充電時間である時、実際の必要に応じてコンデンサーＣ１のキャパシティーを選択することで、所定の時間の長さを決定する。
【００２４】
この時、もし外部システム２が初期化を完了していれば、目標回転速度コントロール信号９４を提供することができる。  
この時、スイッチＱ３は通電し、スイッチＱ１、Ｑ２は通電しない。  
このため、回転速度コントロールユニット２３は、目標回転速度コントロール信号９４によって、回転速度コントロール信号９５を発生させて、駆動ユニット２２に送ることにより、駆動ユニット２２は回転速度コントロール信号９５によってファン３の回転速度をコントロールする。
【００２５】
コントロール装置２０が起動コントロールユニット２１によってファン３を起動させる時、最低回転速度で運転することで起動電流が大きくなりすぎるのを回避する。  
また、回転速度コントロールユニット２３は２個の抵抗器Ｒ８、Ｒ９を有し、抵抗器Ｒ８の一端は抵抗器Ｒ５の該端に電気的に接続される。  
抵抗器Ｒ８の他端は抵抗器Ｒ９の一端に電気的に接続されて、分圧回路を形成することにより、半速コントロール信号９６を提供して駆動ユニット２２の半速信号入力端子ＲＭＩに送られる。
【００２６】
また、ファン３に異常があった場合、コントロール装置２０はアラーム信号９を受ける。  
この時、スイッチＱ２は通電し、スイッチＱ１を通電させる。  
このため、起動コントロール信号９３が駆動ユニット２２に送られて、ファン３が最低回転速度で運転されることにより、ファン３の起動電流が大きくなりすぎるのを回避する。  
異常が排除された後、アラーム信号９２のコントロール装置２０への送信が停止されて再起動する。  
この時、スイッチＱ１は通電し、スイッチＱ２、Ｑ３は通電しないことで、起動コントロール信号９３が駆動ユニット２２に送られて、ファン３が最低回転速度で運転されるため、起動電流が大きくなりすぎるのを回避するのである。  
また、コントロール装置２０が外部の電圧源Ｖから分離される時、コンデンサーＣ１に残っている電荷が抵抗器Ｒ３を介して放電されてリセット（reset）され、次回に起動された時にエラーが発生するのを回避する。
【００２７】
また、図４を参照しながら、本発明の好適な実施例のファンシステムのコントロール装置の他の回路図について説明する。
【００２８】
本実施例のコントロール装置と図３のコントロール装置２０の異なる点は、その起動コントロールユニット２１が抵抗器Ｒ１０を有することである。  
その一端は抵抗器Ｒ１の他端に電気的に接続され、さらに他端はコンデンサーＣ１に電気的に接続される。
【００２９】
コントロール装置２０が起動する時、スイッチＱ１のゲートＧとソースＳの電圧差Ｖｇｓはおよそ
2007185090.tif 000003
である。  
このうち、Ｖは電圧源の電圧値であり、本実施例においては、抵抗器Ｒ１及び抵抗器Ｒ１０の比率を調整できるため、Ｖｇｓは例えば−３Ｖのような比較的大きな電圧差となる。
【００３０】
図５を参照しながら、スイッチＱ１の特性曲線図について説明する。  
コンデンサーＣ１が充電される時、Ｖｇｓは徐々に上昇し（図に示したものは−６Ｖから−１Ｖを例としている）、スイッチＱ１の電流Ｉｄ（図４に示す）を通過させて、ゆっくりとした速度で下降する（図に示したものは−５Ｉから０Ｉを例としている）ことにより、駆動ユニット２２の電流を通過させてコントロールするのである。  
そして、駆動ユニット２２の信号入力端子Ｖｔｈの電圧がゆっくりと下降するので、駆動ユニット２２は信号入力端子Ｖｔｈの電圧によって、ファン３の回転速度をゆっくりと上昇させて、ソフトスタート（soft-start）効果を（図６に示す）発揮する。
【００３１】
本発明に係るファンシステムは、少なくとも１個のファン及び１個のコントロール装置を備える。  
このファンシステム及びコントロール装置は、上述のファン３及びコントロール装置２０と同様の構成及び機能を有するため、ここでは説明を省略する。
【００３２】
上述のように、本発明のファンシステムは、起動コントロールユニットによって、ファンが起動あるいは再起動する際にコントロールすることで、比較的低い回転速度で起動させることにより、起動電流が大きくなりすぎるという問題を解決し、ファンの素子が損傷したり、回転速度が速すぎることで温度が上昇したりするのを回避することを特徴とする。
【００３３】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３４】
【図１】従来のファンシステムのコントロール装置と外部システムが協働で作業を行なう様子を示した図である。
【図２】本発明の好適な実施例のファンシステムにおけるコントロール装置を示す図である。
【図３】本発明の好適な実施例のファンシステムにおけるコントロール装置の回路図である。
【図４】本発明の好適な実施例のファンシステムにおけるコントロール装置の他の回路図である。
【図５】本発明の好適な実施例のファンシステムにおけるコントロール装置のスイッチの特性曲線図である。
【図６】図４のファンの回転速度を示す図である。
【符号の説明】
【００３５】
１，２        外部システム
１０，２０    コントロール装置
１１，２３    回転速度コントロールユニット
１２，２２    駆動ユニット
１０１，９４  目標回転速度コントロール信号
１０２，９５  回転速度コントロール信号
１３，３      ファン
２１          起動コントロールユニット
９１          スタート電圧
９２          アラーム信号
９３          起動コントロール信号
９６          半速コントロール信号
Ｑ１〜Ｑ３    スイッチ
Ｒ１〜Ｒ１０  抵抗器
Ｃ１，Ｃ２    コンデンサー
Ｂ            ベース
Ｃ            コレクタ
Ｅ            エミッタ
Ｇ            ゲート
Ｓ            ソース
Ｄ            ドレイン
Ｖ            電圧源
Ｖｔｈ        信号入力端子
Ｉｄ          電流
ＲＭＩ        半速信号入力端子
【図１】
2007185090.tif 000004
【図２】
2007185090.tif 000005
【図３】
2007185090.tif 000006
【図４】
2007185090.tif 000007
【図５】
2007185090.tif 000008
【図６】
2007185090.tif 000009
【手続補正書】
【提出日】平成18年12月28日(2006.12.28)
【手続補正１】
【補正対象書類名】図面
【補正対象項目名】全図
【補正方法】変更
【補正の内容】
【図１】
2007185090.tif 000010
【図２】
2007185090.tif 000011
【図３】
2007185090.tif 000012
【図４】
2007185090.tif 000013
【図５】
2007185090.tif 000014
【図６】
2007185090.tif 000015